(57)【要約】【課題】複数の金融機関の口座を引落口座として、振込処理を実現可能なポータルインターネットバンキングシステムを提供する。【解決手段】本発明は、予め、各インターネットバンキングシステムにログインするためのパスワードなどの認証情報をユーザ毎に登録しておき、ユーザから振込要求が行なわれた場合に（Ｓ５）、当該認証情報を使用して、引落先の金融機関のインターネットバンキングシステムにアクセスを行ない（Ｓ９）、振込処理を行なう（Ｓ１０）ものである。【選択図】    図５
2004295752.tif 000002
【特許請求の範囲】
【請求項１】
インターネットバンキングシステムのポータルサイトへログインするためのユーザ毎に設けられた第１の認証情報と、前記第１の認証情報に関連付けられた複数の金融機関及び口座を示す情報と、前記第１の認証情報に関連付けられた複数の金融機関のインターネットバンキングシステムにアクセスするための第２の認証情報とを記憶する手段と、
ユーザからのログイン要求に関連する認証情報を受信し、この受信した認証情報と、前記格納された第１の認証情報とが一致することを検出する手段と、
前記一致が検出された場合に、前記ポータルサイトへのログインを許可し、ユーザからの振込み指示を検出する手段と、
前記振り込み指示が検出された場合に、前記振込み指示が検出されたユーザに対応する前記記憶された複数の金融機関及び口座を示す情報のうち、引落先の金融機関及び口座、及び振込先の金融機関及び口座を選択する手段と、
振込金額を含む振込内容を入力する手段と、
前記ログイン要求を行なったユーザ及び前記引落先の金融機関に関連付けされた第２の認証情報を使用して、前記引落先の金融機関のインターネットバンキングシステムに対してアクセスを行ない、前記選択された引落先の金融機関及び口座、振込先の金融機関及び口座を示す情報及び前記入力された振込内容を含む振込要求を、前記引落先の金融機関のインターネットバンキングシステムに出力する手段と
を具備することを特徴とするポータルインターネットバンキングシステム。
【請求項２】
前記第１の認証情報は、前記ポータルサイトへログインするためのユーザ情報及びパスワード情報を含むことを特徴とする請求項１記載のポータルインターネットバンキングシステム。
【請求項３】
前記第２の認証情報は、前記金融機関のインターネットバンキングシステムにアクセスするためのユーザ情報及びパスワード情報を含むことを特徴とする請求項１記載のポータルインターネットバンキングシステム。
【請求項４】
前記第１の認証情報は、電子証明書情報をさらに含むことを特徴とする請求項２記載のポータルインターネットバンキングシステム。
【請求項５】
前記第２の認証情報は、電子証明書情報をさらに含むことを特徴とする請求項３記載のポータルインターネットバンキングシステム。
【請求項６】
ネットワークに接続された複数の金融機関のインターネットバンキングシステムのポータルサイトを提供するポータルインターネットバンキングシステムにおいて、
前記ポータルサイトを提供するポータルサイト用ＷＥＢサーバと、
前記ポータルサイト上において指示される振込処理を管理するホストコンピュータと
を具備し、
前記ホストコンピュータは、
インターネットバンキングシステムのポータルサイトへログインするためのユーザ毎に設けられた第１の認証情報と、前記第１の認証情報に関連付けられた複数の金融機関及び口座を示す情報と、前記第１の認証情報に関連付けられた複数の金融機関のインターネットバンキングシステムにアクセスするための第２の認証情報とを記憶する手段と、
ユーザからのログイン要求に関連する認証情報を受信し、この受信した認証情報と、前記格納された第１の認証情報とが一致することを検出する手段と、
前記一致が検出された場合に、前記ポータルサイトへのログインを許可し、ユーザからの振込み指示を検出する手段とを具備し、
前記ポータルサイト用ＷＥＢサーバは、
前記振込指示が検出された場合に、引落先の金融機関及び口座、及び振込先の金融機関及び口座の選択、及び振込金額を含む振込内容を入力するためのサイトを表示する手段を具備し、
前記ホストコンピュータは、さらに、
前記ログイン要求を行なったユーザ及び前記引落先の金融機関に関連付けされた第２の認証情報を使用して、前記引落先の金融機関のインターネットバンキングシステムに対してアクセスを行ない、前記サイト上で選択された引落先の金融機関及び口座、振込先の金融機関及び口座を示す情報及び前記サイト上で入力された振込内容を含む振込要求を、前記引落先の金融機関のインターネットバンキングシステムに出力する手段と
を具備することを特徴とするポータルインターネットバンキングシステム。
【請求項７】
インターネットバンキングシステムのポータルサイトへログインするためのユーザ毎に設けられた第１の認証情報と、前記第１の認証情報に関連付けられた複数の金融機関及び口座を示す情報と、前記第１の認証情報に関連付けられた複数の金融機関のインターネットバンキングシステムにアクセスするための第２の認証情報とを記憶する手段を具備するポータルインターネットバンキングシステムにおける振込方法において、
ユーザからのログイン要求に関連する認証情報を受信し、この受信した認証情報と、前記格納された第１の認証情報とが一致することを検出し、
前記一致が検出された場合に、前記ポータルサイトへのログインを許可し、ユーザからの振込み指示を検出し、
前記振り込み指示が検出された場合に、前記振込み指示が検出されたユーザに対応する前記記憶された複数の金融機関及び口座を示す情報のうち、引落先の金融機関及び口座、及び振込先の金融機関及び口座を選択させ、
振込金額を含む振込内容を入力させ、
前記ログイン要求を行なったユーザ及び前記引落先の金融機関に関連付けされた第２の認証情報を使用して、前記引落先の金融機関のインターネットバンキングシステムに対してアクセスを行ない、前記選択された引落先の金融機関及び口座、振込先の金融機関及び口座を示す情報及び前記入力された振込内容を含む振込要求を、前記引落先の金融機関のインターネットバンキングシステムに出力することを特徴とする振込方法。
【請求項８】
前記第１の認証情報は、前記ポータルサイトへログインするためのユーザ情報及びパスワード情報を含むことを特徴とする請求項７記載の振込方法。
【請求項９】
前記第２の認証情報は、前記ポータルサイトへログインするためのユーザ情報及びパスワード情報を含むことを特徴とする請求項７記載の振込方法。
【発明の詳細な説明】
【０００１】
【発明の属する技術分野】
本発明は、ポータルインターネットバンキングシステムに関する。
【０００２】
【従来の技術】
近年、通信技術の発達により、インターネット上において、振込み処理、残高照会処理などを行なうことができるネットバンキングシステムが開発され、実用化されている。
【０００３】
このようなネットバンキングシステムは、各行独自仕様で開発しているため、振込み処理を行なう場合、引落口座は、自行に存在するものに限られるが、振込先については他行に存在するものも指定することができる（非特許文献１参照）。
【０００４】
【非特許文献１】
シティバンクオンライン（ｈｔｔｐ：／／ｗｗｗ．ｃｉｔｉｄｉｒｅｃｔ．ｃｉｔｉｂａｎｋ．ｃｏ．ｊｐ／ＣｉｔｉｂａｎｋＨｏｍｅＰａｇｅ／ＣＤＪ．ｈｔｍ）
【０００５】
【発明が解決しようとする課題】
上述のように、従来のネットバンキングシステムは、各行独自仕様で開発しているため、振込み処理を行なう場合、引落口座は、自行に存在するものに限られる。
【０００６】
したがって、ユーザが、複数の銀行に口座を有しており、これら複数の銀行の口座を引落口座として、振込処理を行なう場合、ユーザは、各インターネットバンキングシステムにアクセスし、ログインを繰り返す必要があり、さらには、各インターネットバンキングシステムの操作方法を使い分ける必要があった。
【０００７】
また、各インターネットバンキングシステムにログインを行なう場合には、各システムに対応するパスワード、ユーザＩＤなどの認証情報を入力する必要があり、当該認証情報の管理、入力などが煩雑になる。
【０００８】
本発明は、上記実情に鑑みてなされたものであり、複数の金融機関の口座を引落口座として振込処理を行なう場合であっても、各インターネットバンキングシステムにログインを繰り返す必要がなく、１回のログイン処理で、上記振込処理を行なうことができるポータルインターネットバンキングシステムを提供することを目的とする。
【０００９】
【課題を解決するための手段】
したがって、上記目的を達成するために、本発明の第１の発明は、インターネットバンキングシステムのポータルサイトへログインするためのユーザ毎に設けられた第１の認証情報と、前記第１の認証情報に関連付けられた複数の金融機関及び口座を示す情報と、前記第１の認証情報に関連付けられた複数の金融機関のインターネットバンキングシステムにアクセスするための第２の認証情報とを記憶する手段と、ユーザからのログイン要求に関連する認証情報を受信し、この受信した認証情報と、前記格納された第１の認証情報とが一致することを検出する手段と、前記一致が検出された場合に、前記ポータルサイトへのログインを許可し、ユーザからの振込み指示を検出する手段と、前記振り込み指示が検出された場合に、前記振込み指示が検出されたユーザに対応する前記記憶された複数の金融機関及び口座を示す情報のうち、引落先の金融機関及び口座、及び振込先の金融機関及び口座を選択する手段と、振込金額を含む振込内容を入力する手段と、前記ログイン要求を行なったユーザ及び前記引落先の金融機関に関連付けされた第２の認証情報を使用して、前記引落先の金融機関のインターネットバンキングシステムに対してアクセスを行ない、前記選択された引落先の金融機関及び口座、振込先の金融機関及び口座を示す情報及び前記入力された振込内容を含む振込要求を、前記引落先の金融機関のインターネットバンキングシステムに出力する手段とを具備することを特徴とするポータルインターネットバンキングシステム、である。
【００１０】
また、ネットワークに接続された複数の金融機関のインターネットバンキングシステムのポータルサイトを提供するポータルインターネットバンキングシステムにおいて、前記ポータルサイトを提供するポータルサイト用ＷＥＢサーバと、前記ポータルサイト上において指示される振込処理を管理するホストコンピュータとを具備し、前記ホストコンピュータは、インターネットバンキングシステムのポータルサイトへログインするためのユーザ毎に設けられた第１の認証情報と、前記第１の認証情報に関連付けられた複数の金融機関及び口座を示す情報と、前記第１の認証情報に関連付けられた複数の金融機関のインターネットバンキングシステムにアクセスするための第２の認証情報とを記憶する手段と、ユーザからのログイン要求に関連する認証情報を受信し、この受信した認証情報と、前記格納された第１の認証情報とが一致することを検出する手段と、前記一致が検出された場合に、前記ポータルサイトへのログインを許可し、ユーザからの振込み指示を検出する手段とを具備し、前記ポータルサイト用ＷＥＢサーバは、前記振込指示が検出された場合に、引落先の金融機関及び口座、及び振込先の金融機関及び口座の選択、及び振込金額を含む振込内容を入力するためのサイトを表示する手段を具備し、前記ホストコンピュータは、さらに、前記ログイン要求を行なったユーザ及び前記引落先の金融機関に関連付けされた第２の認証情報を使用して、前記引落先の金融機関のインターネットバンキングシステムに対してアクセスを行ない、前記サイト上で選択された引落先の金融機関及び口座、振込先の金融機関及び口座を示す情報及び前記サイト上で入力された振込内容を含む振込要求を、前記引落先の金融機関のインターネットバンキングシステムに出力する手段と
を具備することを特徴とするポータルインターネットバンキングシステム、である。
【００１１】
【発明の実施の形態】
以下、図面を参照して、本発明の実施の形態に係るポータルインターネットバンキングシステムについて説明する。
【００１２】
図１は、本発明の実施の形態に係るポータルインターネットバンキングシステムが使用される環境を示す図である。
【００１３】
同図に示すように、インターネット１には、ユーザコンピュータ２、本発明の実施の形態に係るポータルバンキングシステム３、Ａ銀行のインターネットバンキングシステム４、Ｂ銀行のインターネットバンキングシステム５及びＣ銀行のインターネットバンキングシステム６が接続されている。
【００１４】
ユーザコンピュータ２は、本発明の実施の形態に係るポータルバンキングシステム３を使用するユーザのコンピュータであり、ポータルサイト用ＷＥＢサーバ３ｂによって提供されるポータルサイト上で、各銀行のインターネットバンキングシステムに対する振込処理などを指示する。
【００１５】
本発明の実施の形態に係るポータルバンキングシステム３は、ＬＡＮ（Ｌｏｃａｌ  Ａｒｅａ  Ｎｅｔｗｏｒｋ）３ａに接続されたポータルサイト用ＷＥＢサーバ３ｂ及びポータルサイト用ホストコンピュータ３ｃを具備している。
【００１６】
上記ＬＡＮ３ａは、ゲートウェイなどのネットワーク間接続装置を介して、インターネット１に接続されている。ポータルサイト用ＷＥＢサーバ３ｂは、各インターネットバンキングシステム３ａ〜３ｃのポータルサイトを提供するためのサーバである。ポータルサイト用ホストコンピュータ３ｃは、本実施の形態のポータルバンキングシステムの振込処理全体を司るものである。
【００１７】
Ａ銀行のインターネットバンキングシステム４は、ＬＡＮ４ａに接続されたＡ銀行ＷＥＢサーバ４ｂ及びＡ銀行ホストコンピュータ４ｃを具備している。上記ＬＡＮ４ａは、ゲートウェイなどのネットワーク間接続装置を介して、インターネット１に接続されている。Ａ銀行ＷＥＢサーバ４ｂは、Ａ銀行のインターネットバンキングシステムのサイトを提供するためのサーバである。Ａ銀行ホストコンピュータ４ｃは、Ａ銀行のインターネットバンキングシステムの処理全体を司るものである。
【００１８】
Ｂ銀行のインターネットバンキングシステム５は、ＬＡＮ５ａに接続されたＢ銀行ＷＥＢサーバ５ｂ及びＢ銀行ホストコンピュータ５ｃを具備している。上記ＬＡＮ５ａは、ゲートウェイなどのネットワーク間接続装置を介して、インターネット１に接続されている。Ｂ銀行ＷＥＢサーバ５ｂは、Ｂ銀行のインターネットバンキングシステムのサイトを提供するためのサーバである。Ｂ銀行ホストコンピュータ５ｃは、Ｂ銀行のインターネットバンキングシステムの処理全体を司るものである。
【００１９】
Ｃ銀行のインターネットバンキングシステム６は、ＬＡＮ６ａに接続されたＣ銀行ＷＥＢサーバ６ｂ及びＣ銀行ホストコンピュータ６ｃを具備している。上記ＬＡＮ６ａは、ゲートウェイなどのネットワーク間接続装置を介して、インターネット１に接続されている。Ｃ銀行ＷＥＢサーバ６ｂは、Ｃ銀行のインターネットバンキングシステムのサイトを提供するためのサーバである。Ｃ銀行ホストコンピュータ６ｃは、Ｃ銀行のインターネットバンキングシステムの処理全体を司るものである。
【００２０】
図２は、本発明の実施の形態に係るポータルインターネットバンキングシステムの動作を説明するための図である。
【００２１】
同図に示すように、ユーザ１１は、ポータルサイト用ＷＥＢサーバ３ｂによって提供されるＷＥＢバンキングポータルサイト１３に、インターネット１を介してログインを行なう。このログイン処理は、ＷＥＢバンキングポータルサイト１３用の認証情報（ユーザＩＤ、パスワードなど）を入力することにより行なわれる。
【００２２】
ログイン処理後、ユーザ１１は、ＷＥＢバンキングポータルサイト１３上において、振込指示を行なう。ＷＥＢバンキングポータルサイト１３上では、複数の金融機関の口座を引落口座として振込を行なうことができる。この点、従来のインターネットバンキングシステムとは異なる。
【００２３】
ポータルインターネットバンキングシステムのポータルサイト用ホストコンピュータ３ｃは、各銀行に届けでたユーザＩＤ、パスワードなどの認証情報が登録されており、ユーザからの振込指示に基づいて、各銀行のインターネットバンキングシステムの仕様にしたがったログイン情報や振込データが送信される。ここで、ユーザコンピュータ２の画面上見えるのは、ＷＥＢバンキングポータルサイトであり、各インターネットバンキングシステムのサイトは見えない。
【００２４】
図３は、ポータルサイト用ホストコンピュータ３ｃの機能ブロックを示す図である。
【００２５】
同図に示すように、本発明の実施の形態のポータルサイト用ホストコンピュータ３ｃは、データ受信部２１、認証情報検出部２２、データ格納部２３、振込指示検出部２４、口座選択検出部２５及び振込要求出力部２６を具備している。
【００２６】
データ受信部２１は、ユーザコンピュータ２からのログイン要求、このログイン要求に関連する認証情報などを受信する。
【００２７】
認証情報検出部２２は、データ受信部２１によって受信された認証情報が、データ格納部２３に格納された認証情報と一致するか否かを検出する。
【００２８】
データ格納部２３は、インターネットバンキングシステムのポータルサイトにログインするためのポータルサイト認証情報及び各インターネットバンキングシステムへログインするための登録認証情報を有している。
【００２９】
図４は、データ格納部２３に格納されるテーブルを示す図である。
【００３０】
同図に示すように、ポータルサイト認証情報は、ユーザ毎に、ユーザＩＤ、パスワード及び電子証明書の有無などの情報が格納される。例えば、ユーザＡについては、ユーザＩＤは「ａｂｃｄｅｆ」、パスワード「○○○△△」、電子証明書が必要である。また、ユーザＢについては、ユーザＩＤは「ｇｈｉｊｋｌ」、パスワード「△△×××」、電子証明書は不要である。
【００３１】
また、これらユーザ毎に管理されたポータルサイト認証情報に関連付けられるように、ユーザ毎に各インターネットバンキングシステムの登録認証情報が格納されている。
【００３２】
この登録認証情報は、ユーザ毎に、金融機関名、口座番号、ユーザＩＤ、パスワード及び電子証明書の有無などの情報が格納される。例えば、ユーザＡについては、
2004295752.tif 000003
などの情報が格納されている。
【００３３】
振込指示検出部２４は、ポータルサイト用ＷＥＢサーバ３ｂによって提供されるポータルサイト上からユーザコンピュータ２によって指示される振込要求を受信する。
【００３４】
口座選択検出部２５は、ポータルサイト用ＷＥＢサーバ３ｂによって提供されるポータルサイト上からユーザコンピュータ２によって選択された引落先の金融機関及び口座番号の情報、振込先の金融機関及び口座番号の情報の他、振込期日、振込額などの振込処理に必要なデータを検出する。
【００３５】
振込要求出力部２６は、振込指示検出部２４によって、ユーザからの振込指示か検出され、口座選択検出部によって、ユーザコンピュータ２によって、引落先の金融機関及び口座番号の情報、振込先の金融機関及び口座番号の情報が選択されると、データ格納部２３に格納されている引落先の金融機関の認証情報を使用して、引落先の金融機関のインターネットバンキングシステムにアクセスを行ない、引落先の金融機関及び口座番号、振込先の金融機関及び口座番号、その他、振込額、振込額などの振込に必要な情報を振込先のインターネットバンキングシステムに出力する。
【００３６】
次に、本発明の実施の形態に係るポータルインターネットバンキングシステムの動作について、図５のフローチャートを参照して説明する。
【００３７】
まず、ユーザコンピュータからポータルインターネットバンキングシステムのポータルサイトにログイン要求があったか否かの判断が行なわれる（Ｓ１）。Ｓ１において、ログイン要求があったと判断された場合には、次に、このログイン要求に関連してユーザコンピュータから送信される認証情報を受信する（Ｓ２）。
【００３８】
ここでは、認証情報として、ユーザＩＤ、パスワード、電子証明書がある場合には当該電子証明書が送信されるものとする。
【００３９】
そして、受信した認証情報と、データ格納部２３にユーザ毎に格納されたポータルサイトの認証情報とが一致しているか否かの判断が行なわれ（Ｓ３）、一致していると判断された場合には、Ｓ４の処理に移る。一方、一致していないと判断された場合には、Ｓ１の処理に戻る。
【００４０】
Ｓ４においては、ポータルサイトのログインの許可が行なわれ、ユーザコンピュータからの振込指示があるか否かの判断が行なわれる（Ｓ５）。この振込指示は、ポータルサイトのＷＥＢ画面上において、例えば、「振込」ボタンを選択することにより行なわれる。
【００４１】
Ｓ５において、振込指示があると、図６に示すような、引落先の金融機関及び口座情報を選択するための画面が表示され、この画面上において、引落先の金融機関及び口座情報を選択する（Ｓ６）。この画面上において表示される引落先の金融機関及び口座情報は、データ格納部に格納されるログインしているユーザに対応する登録認証情報である。
【００４２】
図６に示した画面において、引落先の金融機関及び口座情報を選択した後、「次へ」ボタンを選択すると、図７に示すような、振込先の金融機関及び口座情報を選択するための画面が表示される。この画面上において、振込先の金融機関及び口座情報を選択する（Ｓ７）。
【００４３】
この画面上において表示される振込先の金融機関及び口座情報は、データ格納部に格納されるログインしているユーザに対応する登録認証情報であり、図６と同様に、プルダウンメニュー形式で選択される。
【００４４】
図７に示す画面において、振込先の金融機関及び口座情報が存在しない場合には、「未登録先の入力」ボタン４１を選択することにより、図８に示す未登録の振込先の情報を入力するための画面を表示させる。そして、図８に示す画面において、金融機関の情報、口座番号の情報、振込金額の情報など振込を行なう際に必要な振込先の情報を入力し、図１０に示す振込内容を確認するための画面に移る。
【００４５】
一方、図７に示す画面において、「次へ」ボタン４２を選択すると、図９に示すような振込内容を入力するための画面が表示され、当該画面上において、振込金額、振込依頼人番号などの振込内容を、振込単位毎に入力する（Ｓ８）。
【００４６】
このようにして、図６乃至図９に示す画面において、引落先の金融機関及び口座を示す情報及び振込先の金融機関及び口座を示す情報の選択（振込先については、入力される場合もある。）が行なわれる。
【００４７】
そして、図９に示す画面において、「次へ」ボタン５１を選択することにより、図１０に示す振込内容の確認画面が表示される。図１０に示す画面において、振込内容の確認を行ない、「振込」ボタン６１を選択することにより、ログイン要求を行なったユーザ及び引落先の金融機関に関連付けされた認証情報を使用して、引落先の金融機関のインターネットバンキングシステムに対してアクセスをしてログインする（Ｓ９）。
【００４８】
そして、選択された引落先の金融機関及び口座、振込先の金融機関及び口座を示す情報及び入力された振込内容を含む振込要求を、引落先の金融機関のインターネットバンキングシステムに出力する（Ｓ１０）。
【００４９】
これにより、引落先のインターネットバンキングシステムにおいて、ポータルサイト上において要求された振込処理が行なわれることになる。このことは、ユーザからみれば、各金融機関のインターネットバンキングシステムにアクセスすることなく、１つのポータルサイトにアクセスして振込指示を行なうだけで複数の金融機関の口座を引落口座として、振込処理を実行することができることを意味する。
【００５０】
なお、上述の実施の形態においては、ポータルサイト用ホストコンピュータ３ｃにおいて、図４に示したテーブルを持ち、図５に示した動作を行なう場合について説明したがこれに限られるものではない。すなわち、図４に示したテーブルをポータルサイト用ＷＥＢサーバ３ｂにおいて有し、図５に示した振込処理の動作をポータルサイト用ＷＥＢサーバ３ｂによって実現してもよい。
【００５１】
したがって、本発明の実施の形態に係るポータルインターネットバンキングシステムによれば、各金融機関のインターネットバンキングシステムにアクセスすることなく、ポータルサイトにアクセスして振込指示を行なうだけで複数の金融機関の口座を引落口座として、振込処理を実行することができるので、振込手続きを簡素化することができる。
【００５２】
また、各インターネットバンキングシステム毎にパスワードなどの認証情報を管理する手間が省くことができる。さらに、ポータルサイト上で振り込み処理を完了することができるため、各インターネットバンキングシステム毎に異なる操作を行なわなければならないという煩雑さを避けることができる。
【００５３】
なお、本願発明は、上記各実施形態に限定されるものでなく、実施段階ではその要旨を逸脱しない範囲で種々に変形することが可能である。
【００５４】
【発明の効果】
以上詳記したように、本発明によれば、複数の金融機関の口座を引落口座として振込処理を行なう場合であっても、各インターネットバンキングシステムにログインを繰り返す必要がなく、１回のログイン処理で、上記振込処理を行なうことができるポータルインターネットバンキングシステムを提供することができる。
【図面の簡単な説明】
【図１】本発明の実施の形態に係るポータルインターネットバンキングシステムが使用される環境を示す図である。
【図２】本発明の実施の形態に係るポータルインターネットバンキングシステムの動作を説明するための図である。
【図３】ポータルサイト用ホストコンピュータ３ｃの機能ブロックを示す図である。
【図４】データ格納部２３に格納されるテーブルを示す図である。
【図５】本発明の実施の形態に係るポータルインターネットバンキングシステムの動作について説明するためのフローチャートである。
【図６】引落口座の選択画面を示す図である。
【図７】振込先の入力画面を示す図である。
【図８】未登録振込先の入力画面を示す図である。
【図９】振込内容の入力画面を示す図である。
【図１０】振込内容の確認画面を示す図である。
【符号の説明】
１…インターネット、２…ユーザコンピュータ、３…ポータルバンキングシステム、３ａ，４ａ，５ａ，６ａ…ＬＡＮ、３ｂ…ポータルサイト用ＷＥＢサーバ、３ｃ…ポータルサイト用ホストコンピュータ、４…Ａ銀行のインターネットバンキングシステム、４ｂ…Ａ銀行ＷＥＢサーバ、４ｃ…Ａ銀行ホストコンピュータ、５…Ｂ銀行のインターネットバンキングシステム、５ｂ…Ｂ銀行ＷＥＢサーバ、５ｃ…Ｂ銀行ホストコンピュータ、６…Ｃ銀行のインターネットバンキングシステム、６ｂ…Ｃ銀行ＷＥＢサーバ、６ｃ…Ｃ銀行ホストコンピュータ、２１…データ受信部、２２…認証情報検出部、２３…データ格納部、２４…振込指示検出部、２５…口座選択検出部、２６…振込要求出力部。
【図１】
2004295752.tif 000004
【図２】
2004295752.tif 000005
【図３】
2004295752.tif 000006
【図４】
2004295752.tif 000007
【図５】
2004295752.tif 000008
【図６】
2004295752.tif 000009
【図７】
2004295752.tif 000010
【図８】
2004295752.tif 000011
【図９】
2004295752.tif 000012
【図１０】
2004295752.tif 000013